(57)【特許請求の範囲】
【請求項１】
情報を出力する出力部と、
ドアの開閉音と鍵の施錠音とを記憶する記憶部と、
音を収音する収音部と、
前記記憶部に記憶された前記開閉音のあとに、前記記憶部に記憶された前記施錠音が収音されたとき、前記ドアが施錠されたと判定する判定部と、
前記判定部により、前記ドアが施錠されたと判定されたとき、前記ドアが施錠されていることを示す施錠情報を前記出力部に出力させる処理をする処理部と、
を備えることを特徴とする電子機器。
【請求項２】
前記電子機器は、さらに、
前記電子機器を携帯しているユーザが歩いた歩数を取得する取得部と、
前記電子機器の位置を測位する測位部と、
前記電子機器が所定の建物の近傍に位置し、かつ前記取得部により、所定の時間内に取得された前記歩数が第１閾値未満であるとき、前記収音部を起動させる起動部と、
前記判定部により、前記ドアが施錠されたと判定されたとき、前記収音部を停止する停止部と、
を備えることを特徴とする請求項１に記載の電子機器。
【請求項３】
前記電子機器は、さらに、
加速度を計測する計測部、
を備え、
前記起動部は、
前記計測部により、計測された前記加速度を用いて歩行が停止したことを検知したとき、前記収音部を起動する
ことを特徴とする請求項２に記載の電子機器。
【請求項４】
前記処理部は、
前記収音部によりドアの開閉音が収音されてから第２閾値以上の時間が経過しても、前記判定部により、前記ドアが施錠されたと判定されないとき、前記ドアが施錠されていないことを示す開錠情報を前記出力部に出力させる処理をし、
前記停止部は、
前記収音部によりドアの開閉音が収音されてから第２閾値以上の時間が経過しても、前記判定部により、前記ドアが施錠されたと判定されないとき、前記収音部を停止する
ことを特徴とする請求項２または３に記載の電子機器。
【請求項５】
前記起動部は、
前記取得部により、前記所定の時間内に取得された歩数が前記第１閾値以上であるとき、前記測位部を起動し、
前記測位部は、
起動したとき、位置を測位する、
ことを特徴とする請求項２〜４のいずれか一つに記載の電子機器。
【請求項６】
前記停止部は、さらに、
前記測位部が位置を測位すると、前記測位部を停止する、
ことを特徴とする請求項５に記載の電子機器。
【請求項７】
音を収音する収音部において、記憶部に記憶されたドアの開閉音のあとに、前記記憶部に記憶された鍵の施錠音が収音されたとき、前記ドアが施錠されたと判定し、
前記判定処理において、前記ドアが施錠されたと判定されたとき、前記ドアが施錠されていることを示す施錠情報を、情報を出力する出力部に出力させる
処理をコンピュータに実行させることを特徴とする施錠状態管理プログラム。
【発明の詳細な説明】
【技術分野】
【０００１】
本発明は施錠状態を管理する技術に関する。
【背景技術】
【０００２】
ユーザは、外出後に自宅のドアの鍵を施錠したか否かについて気になることがある。このため、セキュリティ監視システムでは、施錠状態を監視するセンサをドアに設置することで、ドアの鍵が施錠されているか否かを監視し、外出中のユーザにドアの施錠状態を通知する機能を実用化している。
【０００３】
関連する他の技術として、セキュリティ監視システムは、建物における各セキュリティ監視対象のセキュリティ状態を検知し、検知結果を含むセキュリティ情報を送信する少なくとも一つのセキュリティ検知装置と、携帯型の情報通信端末とを備える。さらに、セキュリティ監視システムは、セキュリティ検知装置からセキュリティ情報を受信するセキュリティ情報管理装置を備える。セキュリティ情報管理装置は、情報通信端末が建物の外に移動したことが検知されたとき、建物における各セキュリティ監視対象のセキュリティ情報をセキュリティ検知装置から受信する。そして、セキュリティ情報管理装置は、通信ネットワークを介して情報通信端末に、受信した各セキュリティ情報を送信する（例えば、特許文献１）。
【先行技術文献】
【特許文献】
【０００４】
【特許文献１】特開２０１３−２１８７１８号公報
【発明の概要】
【発明が解決しようとする課題】
【０００５】
前述した監視技術を有する電子機器では、例えば、施錠状態を管理するために、センサによりドアを施錠したか否かを検知し、ネットワークを通じて、外出後に、ドアを施錠したか否かをユーザに通知している。
【０００６】
本発明は、一側面として、外出後に、ドアを施錠したか否かをユーザが容易に確認する技術を提供する。
【課題を解決するための手段】
【０００７】
本明細書で開示する電子機器のひとつに、出力部と、記憶部と、収音部と、判定部と、処理部とを備える電子機器がある。出力部は、情報を出力する。記憶部は、ドアの開閉音と鍵の施錠音とを記憶する。収音部は、音を収音する。判定部は、記憶部に記憶された開閉音のあとに、記憶部に記憶された施錠音が収音されたとき、ドアが施錠されたと判定する。処理部は、判定部により、ドアが施錠されたと判定されたとき、ドアが施錠されていることを示す施錠情報を出力部に出力させる処理をする。
【発明の効果】
【０００８】
１実施態様によれば、外出後に、ドアを施錠したか否かをユーザが容易に確認することができる。
【図面の簡単な説明】
【０００９】
【図１】電子機器の一実施例を示す機能ブロック図である。
【図２】表示部による通知の一実施例を示す図である。
【図３】音情報の一例を示す図である。
【図４】音情報の登録手順の一実施例を示す図である。
【図５】収音情報の一例を示す図である。
【図６】状態情報に格納される情報の一例を示す図である。
【図７】状態情報の一例を示す図である。
【図８】施錠状態管理処理を示すフローチャート（その１）である。
【図９】施錠状態管理処理を示すフローチャート（その２）である。
【図１０】施錠状態管理処理を示すフローチャート（その３）である。
【図１１】歩行時間および歩行状態の取得処理を示すフローチャートである。
【図１２】位置状態の測位処理を示すフローチャートである。
【図１３】収音状態の切替処理を示すフローチャート（その１）である。
【図１４】収音状態の切替処理を示すフローチャート（その２）である。
【図１５】鍵状状態の判定処理を示すフローチャートである。
【図１６】コンピュータ装置の一実施例を示すブロック図である。
【発明を実施するための形態】
【００１０】
［実施形態］
実施形態の電子機器について説明する。
【００１１】
図１は、電子機器の一実施例を示す機能ブロック図である。
図１を参照して、電子機器１について説明する。
【００１２】
電子機器１は、制御部１０と、記憶部２０と、入出力部３０と、送受信部４０と、計測部５０と、測位部６０と、収音部７０と、出力部８０とを備える。電子機器１は、例えば、後述するコンピュータ装置１００である。
【００１３】
制御部１０は、取得部１１と、起動部１２と、判定部１３と、処理部１４と、停止部１５とを含む。記憶部２０は、音情報２１と、収音情報２２と、状態情報２３とを記憶する。さらに、記憶部２０は、後述する第１時間、第２時間、第３時間、および第４時間などの各種設定情報を記憶する。入出力部３０は、入力部３１と、出力部３２とを含む。そして、送受信部４０は、受信部４１と、送信部４２とを含む。出力部８０は、表示部８１と、警報部８２とを含む。音情報２１は、ドアの開閉音と鍵の施錠音とを格納する。収音情報２２は、収音部７０で収音されたドアの開閉音と、ドアの施錠音とを格納する。状態情報２３は、後述する歩行時間、歩行状態、位置状態、収音状態、および鍵状態を格納する。
【００１４】
計測部５０は、電子機器１の加速度を計測する。測位部６０は、電子機器１の位置を測位する。収音部７０は、電子機器１の周囲の音を収音する。出力部８０は、情報を出力する。なお、計測部５０は、ユーザが電子機器１を携帯しているとき、ユーザの加速度を計測する。また、測位部６０は、ユーザが電子機器１を携帯しているとき、ユーザの位置を測位する。そして、収音部７０は、ユーザが電子機器１を携帯しているとき、ユーザの周囲の音を収音する。
【００１５】
取得部１１は、電子機器１を携帯しているユーザが歩いた歩数を取得する。取得部１１は、計測部５０で計測された加速度の変化を用いて、ユーザが歩いた歩数をカウントする。そして、取得部１１は、カウントした歩数を、ユーザが歩いた歩数として取得する。
【００１６】
取得部１１は、例えば、計測部５０が３次元の加速度を計測する機能を有するとき、加速度のＸＹＺ成分を合成し、デジタルフィルタを用いて加速度の合成値から雑音を取り除いた波形成分を取り出しても良い。また、取得部１１は、所定値以上の山と谷の振幅が所定の時間内に出現したとき、電子機器１を携帯しているユーザが１歩歩いたことをカウントしも良い。そして、取得部１１は、カウントした歩数を、ユーザが歩いた歩数として取得しても良い。
【００１７】
また、取得部１１は、図示しない、各種の歩数計がカウントした歩数を、ユーザが歩いた歩数として取得しても良い。
【００１８】
起動部１２は、電子機器１が所定の建物の近傍に位置し、かつ取得部１１により、第１時間（所定の時間）内に取得された歩数が第１閾値未満であるとき、収音部７０を起動させる。ここで、第１時間内に取得された歩数が第１閾値未満であるときとは、ユーザが短時間歩行を行なったときである。短時間歩行とは、比較的短い歩行であり、ユーザが所定の建物内で移動したことが想定される歩行である。したがって、第１時間と第１閾値には、第１時間内に取得された歩数が第１閾値未満であるとき、ユーザが短時間歩行を行なったと想定される値が設定される。第１時間と第１閾値については、後述する。
【００１９】
所定の建物とは、例えば、ユーザが電子機器１を使用する、自宅、職場、倉庫、および学校などの建物であり、建物のドアに対応するドアの開閉音とそのドアの鍵に対応する鍵の施錠音とが、音情報２１に格納された建物である。すなわち、所定の建物とは、音情報２１にドアの開閉音と、ドアの施錠音とが格納された、施錠状態を管理する建物のことである。以下の説明において、ドアの開閉音は、単に開閉音とも言う。鍵の施錠音は、単に施錠音とも言う。また、施錠状態を管理することは、施錠状態管理とも言う。そして、所定の建物のことは、単に建物とも言う。
【００２０】
建物の近傍とは、建物内を含む範囲である。そして、制御部１０は、測位部６０で建物の近傍が測位されたとき、ユーザが建物内にいるものと検知する。したがって、制御部１０は、測位部６０で測位される建物の近傍の範囲と、建物内の範囲との相関の強さが強いほど、精度良くユーザが建物内にいることを検知することができる。
【００２１】
第１時間とは、第１閾値と組み合わせて用いられる時間であり、ユーザが短時間歩行をしたのか、長時間歩行をしたのかを判定するための時間である。第１時間は、例えば、ユーザにより設定されても良い。長時間歩行とは、比較的長い歩行であり、ユーザが所定の建物内から建物外に移動したこと、および、ユーザが所定の建物外で移動したことが想定される歩行時間である。所定の建物外で移動とは、例えば、外出後の歩行のことである。
【００２２】
また、第１閾値とは、第１時間内に取得部１１で取得された歩数が第１閾値未満であるとき、ユーザが短時間歩行をしたものと判定するための歩数である。さらに、第１閾値とは、第１時間内に取得部１１で取得された歩数が第１閾値以上であるとき、ユーザが長時間歩行をしたものと判定するための歩数である。したがって、第１閾値は、第１時間に応じて、設定される歩数である。
【００２３】
また、起動部１２は、電子機器１が所定の建物の近傍に位置し、取得部１１により、第１時間内に取得された歩数が第１閾値未満であり、かつ計測部５０により計測された加速度を用いて歩行が停止したことを検知したとき、収音部７０を起動しても良い。以下の説明では、起動部１２が収音部７０を起動する条件は、歩行が停止したことを検知することも含むものとする。ユーザの歩行が停止していることは、停止中とも言う。また、ユーザが歩行していることは、歩行中とも言う。
【００２４】
起動部１２は、計測部５０で計測された水平成分の加速度を積分することにより、電子機器１の水平成分の移動速度を求め、電子機器１の移動速度が０［ｍ／ｓ］になったとき、電子機器１を携帯しているユーザの歩行が停止したことを検知しても良い。また、起動部１２による歩行の停止の検知は、例えば、計測部５０が３次元の加速度を計測する機能を有するとき、加速度のＸＹＺ成分を合成し、合成値を積分することにより、電子機器１の移動速度を求める。そして起動部１２は、電子機器１の移動速度が０［ｍ／ｓ］になったとき、歩行が停止したことを検知しても良い。
【００２５】
起動部１２は、例えば、計測部５０で計測された加速度の誤差を考慮して求める速度の誤差範囲を設定し、電子機器１の移動速度が０［ｍ／ｓ］の誤差範囲内となったとき、歩行が停止したことを検知しても良い。また、起動部１２は、ドアを開け閉めするとき、完全に歩行を停止しないユーザがいることを想定し、ユーザが停止したとみなす速度範囲を設定し、電子機器１の移動速度が速度範囲内の速度となったとき、歩行が停止したことを検知しても良い。このとき、普段から速い速度で移動しているユーザが停止したとみなす速度範囲は、広く設定されても良い。普段から遅い速度で移動しているユーザが停止したとみなす速度範囲は、狭く設定されても良い。
【００２６】
起動部１２は、取得部１１により、第１時間内に取得された歩数が第１閾値以上であるとき、測位部６０を起動する。ここで、第１時間内に取得された歩数が第１閾値以上であるときとは、ユーザが長時間歩行を行なったときである。すなわち、起動部１２は、ユーザが長時間歩行を行なったとき、ユーザの位置を測位部６０に測位させるために、測位部６０を起動する。
【００２７】
判定部１３は、記憶部２０に記憶された開閉音のあとに、記憶部２０に記憶された施錠音が収音されたとき、ドアが施錠されたと判定する。判定部１３は、例えば、後述する音情報２１に格納された開閉音と、収音部７０により収音された音とに相関があるとき、開閉音が収音されたと判定しても良い。また、判定部１３は、例えば、音情報２１に格納された施錠音と、収音部７０により収音された音とに相関があるとき、施錠音が収音されたと判定しても良い。そして、判定部１３は、音情報２１に格納された開閉音のあとに、音情報２１にその開閉音と関連付けられて格納されている施錠音が収音されたとき、ドアが施錠されたと判定しても良い。
【００２８】
また、判定部１３は、測位部６０で測位された位置が所定の建物の近傍以外の位置であるとき、電子機器１が所定の建物の近傍以外に位置していると判定する。
【００２９】
建物の近傍以外とは、建物の近傍を含まない範囲である。そして、制御部１０は、測位部６０で建物の近傍以外が測位されたとき、ユーザが建物外にいるものと検知する。したがって、制御部１０は、測位部６０で測位される建物の近傍の範囲と、建物内の範囲との相関の強さが強いほど、精度良くユーザが建物外にいることを検知することができる。ユーザが建物外にいるとは、例えば、ユーザの外出中である。
【００３０】
処理部１４は、判定部１３により、ドアが施錠されたと判定されたとき、ドアが施錠されていることを示す施錠情報を出力部８０に出力させる処理をする。そして、処理部１４から施錠情報が出力部８０に入力されたとき、表示部８１は、例えば、図２に示すように、ドアが施錠されたことを示す鍵マーク９１を表示（出力）することにより、ユーザに施錠情報を通知しても良い。なお、出力部８０によりドアの施錠状態を出力し、ユーザに施錠情報を通知する方法は、上記に限定されるものではなく、警報部８２でアラームを鳴らす（出力）ことにより、ユーザに施錠状態を通知しても良い。また、図２に示す日時９２の表示は、任意である。以下の説明では、施錠情報のことを施錠中とも言う。
【００３１】
処理部１４は、収音部７０によりドアの開閉音が収音されてから、第２閾値以上の時間が経過しても、判定部１３により、ドアが施錠されたと判定されないとき、ドアが施錠されていないことを示す開錠情報を出力部８０に出力させる処理をする。そして、開錠情報が出力部８０に入力されたとき、警報部８２は、ドアが開錠されていることを示すアラームを鳴ら（出力）すことにより、ユーザに開錠情報を通知しても良い。なお、出力部８０によるドアの開錠状態を出力する方法は、上記に限定されるものではなく、表示部８１に鍵マーク９１を表示しないことにより開錠状態を出力したものとし、ユーザに開錠情報を通知しても良い。以下の説明では、開錠情報のことを開錠中とも言う。
【００３２】
処理部１４は、判定部１３により、ドアが施錠されたと判定されたとき、施錠情報を記憶部２０に記憶する。このとき、処理部１４は、例えば、後述する状態情報２３に含まれる鍵状態にドアが施錠されていることを示す施錠中を格納する。
【００３３】
そして、処理部１４は、電子機器１が所定の建物の近傍以外に位置し、施錠情報が記憶部２０に記憶されているとき、施錠情報を出力部８０に出力させる処理をする。すなわち、処理部１４は、ユーザの外出中に、状態情報２３に含まれる鍵状態に施錠中が格納されているとき、施錠中であることを出力部８０に出力させる。
【００３４】
さらに、処理部１４は、収音部７０によりドアの開閉音が収音されてから、判定部１３により、第２閾値以上の時間が経過してもドアが施錠されたと判定されないとき、開錠情報を記憶部２０に記憶する。このとき、処理部１４は、例えば、状態情報２３に含まれる鍵状態にドアが開錠されていることを示す開錠中を格納する。
【００３５】
処理部１４は、開錠情報が記憶部２０に記憶されているとき、開錠情報を出力部８０に通知させる処理をする。すなわち、処理部１４は、状態情報２３に含まれる鍵状態に開錠中が格納されているとき、開錠中であることを出力部８０に出力させる。
【００３６】
また、処理部１４は、電子機器１が所定の建物の近傍以外に位置し、開錠情報が記憶部２０に記憶されているとき、開錠情報を出力部８０に出力させる処理をしても良い。すなわち、処理部１４は、ユーザの外出中に、状態情報２３に含まれる鍵状態に開錠中が格納されているとき、開錠中であることを出力部８０に出力させる。
【００３７】
処理部１４は、状態情報２３に含まれる鍵状態を更新することにより、開錠情報、および施錠情報などの現在の鍵情報を出力部８０に入力する。したがって、停止部１５は、状態情報２３に含まれる鍵状態に開錠情報または施錠情報が記憶されたとき、収音部７０を停止しても良い。鍵状態に開錠情報または施錠情報が記憶されたときとは、状態情報２３に含まれる鍵状態が更新されたときであり、同じ情報が上書き更新されたときも含む。
【００３８】
停止部１５は、判定部１３により、ドアが施錠されたと判定されたとき、収音部７０を停止する。また、停止部１５は、収音部７０によりドアの開閉音が収音されてから第２閾値以上の時間が経過しても、判定部１３により、ドアが施錠されたと判定されないとき、収音部７０を停止する。また、停止部１５は、記憶部２０に開錠情報または施錠情報が記憶されたとき、収音部７０を停止する。なお、停止部１５は、処理部１４により、ドアが施錠されていることを示す施錠情報を出力部８０に出力させたとき、収音部７０を停止させても良い。停止部１５は、処理部１４により、ドアが施錠されていないことを示す開錠情報を出力部８０に出力させたとき、収音部７０を停止させても良い。
【００３９】
さらに、停止部１５は、測位部６０が位置を測位すると、測位部６０を停止する。
測位部６０は、起動したとき、電子機器１の位置を測位する。すなわち、測位部６０は、起動部１２に起動されると、位置を測定する。そして、測位部６０は、位置の測定が終了すると、停止部１５により停止させられる。
【００４０】
入力部３１は、ユーザや接続された機器からの情報の入力を受け付ける。出力部３２は、制御部１０から出力される情報を出力する。
【００４１】
受信部４１は、通信接続された機器から情報を受信する。また、送信部４２は、通信接続された機器へ情報を送信する。
【００４２】
図３は、音情報の一例を示す図である。
図３を参照して、音情報２１について説明する。また、図３に示す音情報２０１〜２０３は、それぞれ、音情報２１に格納されている情報を示す。
【００４３】
図３（ａ）は、１つ建物の施錠状態を管理する処理に用いる音情報２０１である。以下の説明では、施錠状態を管理する処理のことを、施錠状態管理処理とも言う。
【００４４】
図３（ａ）に示す音情報２０１について説明する。
音情報２０１には、例えば、識別子と、開閉音と、施錠音とが関連付けて格納される。
【００４５】
識別子は、関連付けられたレコードの情報を識別する識別子である。
開閉音は、ドアを開け閉めするときに発生する開閉音である。開閉音は、例えば、音ファイル形式で格納されても良い。音ファイルは、例えば、収音部７０で収音された開閉音を音声信号処理することにより生成される。そして、判定部１３は、音情報２１に格納されている開閉音と、収音部７０で収音された開閉音とに相関があるとき、ドアが開閉されたと判定しても良い。
【００４６】
また、開閉音には、例えば、開閉音から抽出された特徴を示す開閉音の特徴情報を格納しても良い。開閉音の特徴情報は、例えば、収音部７０で収音された開閉音から特徴部分を抽出することにより生成される。このとき、複数回分の開閉音の特徴部分を抽出し、その平均値を開閉音の特徴情報としても良い。そして、判定部１３は、音情報２１に格納されている開閉音の特徴情報と、収音部７０で収音された開閉音から抽出した開閉音の特徴情報とに相関があるとき、ドアが開閉されたと判定しても良い。
【００４７】
施錠音は、鍵を施錠するときに発生する施錠音である。施錠音は、例えば、音ファイル形式で格納されても良い。音ファイルは、例えば、収音部７０で収音された施錠音を音声信号処理することにより生成される。そして、判定部１３は、音情報２１に格納されている施錠音と、収音部７０で収音された施錠音とに相関があるとき、ドアが施錠されたと判定しても良い。
【００４８】
また、施錠音には、例えば、施錠音から抽出された特徴を示す施錠音の特徴情報を格納しても良い。施錠音の特徴情報は、例えば、収音部７０で収音された施錠音から特徴部分を抽出することにより生成される。このとき、複数回分の施錠音の特徴部分を抽出し、その平均値を施錠音の特徴情報としても良い。そして、判定部１３は、音情報２１に格納されている施錠音の特徴情報と、収音部７０で収音された施錠音から抽出した施錠音の特徴情報とに相関があるとき、鍵が施錠されたと判定しても良い。
【００４９】
図３（ｂ）は、複数の建物の施錠状態を管理する処理に用いる音情報２１である。
図３（ｂ）に示す音情報２０２について説明する。
【００５０】
音情報２０２には、例えば、識別子と、建物種別と、開閉音と、施錠音とが関連付けて格納される。なお、音情報２０２のレコード数は、３つに限定されるものではなく、例えば、格納する建物種別の数と同じ数だけ、音情報２０２にレコードを含んでも良い。
【００５１】
識別子は、関連付けられたレコードの情報を識別する識別子である。識別子０は、例えば、自宅のドアに関する音と関連付けられても良い。また、識別子１は、例えば、職場のドアに関する音と関連付けられても良い。そして、識別子２は、倉庫のドアに関する音と関連付けられても良い。このように、ユーザは、後述する音情報２１の登録手順にしたがって、ユーザが出入りし、施錠を行なう複数の建物（所定の建物）の開閉音と施錠音とを関連付けて音情報２１に格納しても良い。これにより、電子機器１は、複数の所定の建物のドアの施錠状態の出力が可能になる。
【００５２】
建物種別は、施錠状態を管理する所定の建物の種別を示す情報である。建物種別には、例えば、自宅、職場、倉庫、および学校などがある。判定部１３は、建物種別を参照することにより、施錠された鍵がどの建物の鍵であるのかを判定することができる。なお、建物種別は、特に施錠した鍵がどの建物の鍵であるのかを判定しなくても良いとき、格納しなくても良い。特に施錠した鍵がどの建物の鍵であるのかを判定しなくても良いときとは、例えば、ユーザが電子機器１を使用する各建物同士が十分に離れていて、互いの建物の開錠状態を、ユーザへ同時に警報することがないと考えられるときなどがある。
【００５３】
開閉音は、ドアを開け閉めするときに発生する開閉音である。開閉音は、例えば、音ファイル形式で格納されても良い。そして、判定部１３は、音情報２１に格納されている開閉音と、収音部７０で収音された開閉音とに相関があるとき、ドアが開閉されたと判定しても良い。
【００５４】
また、開閉音は、例えば、開閉音から抽出された特徴を示す開閉音の特徴情報を格納しても良い。そして、判定部１３は、音情報２１に格納されている開閉音の特徴情報と、収音部７０で収音された開閉音から抽出した開閉音の特徴情報とに相関があるとき、ドアが開閉されたと判定しても良い。
【００５５】
施錠音は、鍵を施錠するときに発生する施錠音である。施錠音は、例えば、音ファイル形式で格納されても良い。そして、判定部１３は、音情報２１に格納されている施錠音と、収音部７０で収音された施錠音とに相関があるとき、ドアが施錠されたと判定しても良い。
【００５６】
また、施錠音は、例えば、施錠音から抽出された特徴を示す施錠音の特徴情報を格納しても良い。そして、判定部１３は、音情報２１に格納されている施錠音の特徴情報と、収音部７０で収音された施錠音から抽出した施錠音の特徴情報とに相関があるとき、鍵が施錠されたと判定しても良い。
【００５７】
図３（ｃ）は、ユーザが電子機器１を携帯している状態により、収音部７０で収音される開閉音と施錠音とが変化することを考慮した、音情報２１である。図３（ｃ）には、複数の建物の施錠状態を管理する処理に用いる音情報２１について、開閉音と施錠音とが変化することを考慮した例を示す。なお、１つの建物の施錠状態を管理する処理に用いる音情報２１について、開閉音と施錠音とが変化することを考慮する場合にも、下記に示す開閉音と施錠音との登録方法は、同様である。
【００５８】
図３（ｃ）に示す音情報２０３について説明する。
音情報２０３には、音情報２１の開閉音と、施錠音とに、それぞれ複数の開閉音と、施錠音とが格納されている。なお、音情報２０３のレコード数は、３つに限定されるものではなく、例えば、格納する建物種別の数と同じ数だけ、音情報２０３にレコードを含んでも良い。
【００５９】
識別子は、関連付けられたレコードの情報を識別する識別子である。
建物種別は、施錠状態を管理する所定の建物の種別を示す情報である。
【００６０】
開閉音は、ドアを開け閉めするときに発生する開閉音である。開閉音は、例えば、音ファイル形式で格納されても良い。そして、判定部１３は、音情報２１に格納されている開閉音と、収音部７０で収音された開閉音とに相関があるとき、ドアが開閉されたと判定しても良い。
【００６１】
識別子０に関連付けられている開閉音には、開閉音ａと、開閉音ｂと、開閉音ｃとが格納されている。また、識別子１に関連付けられている開閉音には、開閉音ｄと、開閉音ｅと、開閉音ｆとが格納されている。そして、識別子２に関連付けられている開閉音には、開閉音ｇと、開閉音ｈと、開閉音ｉとが格納されている。開閉音ａと、開閉音ｂと、開閉音ｃとは、開閉音ａ、ｂ、ｃとも言う。開閉音ｄと、開閉音ｅと、開閉音ｆとは、開閉音ｄ、ｅ、ｆとも言う。開閉音ｇと、開閉音ｈと、開閉音ｉとは、開閉音ｇ、ｈ、ｉとも言う。
【００６２】
開閉音ａ、ｂ、ｃは、例えば、それぞれが自宅のドアの開閉音でも良い。そして、開閉音ａは、例えば、ユーザの衣服のポケットに電子機器１を入れた状態で、後述する音情報２１の登録手順にしたがって収音した、自宅のドアの開閉音でも良い。また、開閉音ｂは、例えば、ユーザのバックに電子機器１を入れた状態で、後述する音情報２１の登録手順にしたがって収音した、自宅のドアの開閉音でも良い。さらに、開閉音ｃは、例えば、ユーザが電子機器１を手に持った状態で、後述する音情報２１の登録手順にしたがって収音した、自宅のドアの開閉音でも良い。
【００６３】
上述のように、電子機器１は、自宅において、電子機器１が携帯される複数の状態における開閉音を音情報２０３に記憶する。これにより、電子機器１は、後述する施錠状態の判定処理において、電子機器１の携帯される状態が複数あっても、それぞれの状態において精度良くドアが開閉されたか否かを判定することができる。また、電子機器１は、他の建物においても、電子機器１が携帯される複数の状態における開閉音を音情報２０３に記憶する。これにより、電子機器１は、後述する施錠状態の判定処理において、電子機器１の携帯される状態が複数あっても、それぞれの状態において精度良くドアが開閉されたか否かを判定することができる。
【００６４】
また、開閉音は、例えば、開閉音から抽出された特徴を示す開閉音の特徴情報を格納しても良い。そして、判定部１３は、音情報２１に格納されている開閉音の特徴情報と、収音部７０で収音された開閉音から抽出した開閉音の特徴情報とに相関があるとき、ドアが開閉されたと判定しても良い。
【００６５】
施錠音は、鍵を施錠するときに発生する施錠音である。施錠音は、例えば、音ファイル形式で格納されても良い。そして、判定部１３は、音情報２１に格納されている施錠音と、収音部７０で収音された施錠音とに相関があるとき、ドアが施錠されたと判定しても良い。
【００６６】
識別子０に関連付けられている施錠音には、施錠音ｊと、施錠音ｋと、施錠音ｌとが格納されている。また、識別子１に関連付けられている施錠音には、施錠音ｍと、施錠音ｎと、施錠音ｏとが格納されている。そして、識別子２に関連付けられている施錠音には、施錠音ｐと、施錠音ｑと、施錠音ｒとが格納されている。施錠音ｊと、施錠音ｋと、施錠音ｌとは、施錠音ｊ、ｋ、ｌとも言う。施錠音ｍと、施錠音ｎと、施錠音ｏとは、施錠音ｍ、ｎ、ｏとも言う。施錠音ｐと、施錠音ｑと、施錠音ｒとは、施錠音ｐ、ｑ、ｒとも言う。
【００６７】
施錠音ｊ、ｋ、ｌは、例えば、それぞれが自宅の鍵の施錠音でも良い。そして、施錠音ｊは、例えば、ユーザの衣服のポケットに電子機器１を入れた状態で、後述する音情報２１の登録手順にしたがって収音した、自宅の鍵の施錠音でも良い。また、施錠音ｋは、例えば、ユーザのバックに電子機器１を入れた状態で、後述する音情報２１の登録手順にしたがって収音した、自宅の鍵の施錠音でも良い。さらに、施錠音ｌは、例えば、ユーザが電子機器１を手に持った状態で、後述する音情報２１の登録手順にしたがって収音した、自宅の鍵の施錠音でも良い。
【００６８】
上述のように、電子機器１は、自宅において、電子機器１が携帯される複数の状態における施錠音を音情報２０３に記憶する。これにより、電子機器１は、後述する施錠状態の判定処理において、電子機器１の携帯される状態が複数あっても、それぞれの状態において精度良く鍵が施錠されたか否かを判定することができる。また、電子機器１は、他の建物においても、電子機器１が携帯される複数の状態における施錠音を音情報２０３に記憶する。これにより、電子機器１は、後述する施錠状態の判定処理において、電子機器１の携帯される状態が複数あっても、それぞれの状態において精度良く鍵が施錠されたか否かを判定することができる。
【００６９】
また、施錠音は、例えば、施錠音から抽出された特徴を示す施錠音の特徴情報を格納しても良い。そして、判定部１３は、音情報２１に格納されている施錠音の特徴情報と、収音部７０で収音された施錠音から抽出した施錠音の特徴情報とに相関があるとき、鍵が施錠されたと判定しても良い。
【００７０】
図４は、音情報の登録手順の一実施例を示す図である。
図４を参照して、音情報の登録手順について説明する。
【００７１】
ユーザは、音情報２１を電子機器１に登録するとき、入力部３１を介して、音情報２１の登録要求を入力する。制御部１０は、ユーザからの登録要求を受け付けたとき、図４（ａ）に示すように、「ボタンを押下後５秒以内にドアの開閉音を録音してください。」というメッセージ９３を表示部８１に表示させる。さらに、制御部１０は、決定要求を受け付けるアイコン９４を表示部８１に表示させる。
【００７２】
制御部１０は、ユーザがアイコン９４をタッチすると、収音部７０を起動し、ドアの開閉音の入力を受け付ける。制御部１０は、ユーザがドアを開閉し、収音部７０でドアの開閉音を収音すると、収音部７０を停止する。
【００７３】
続いて、制御部１０は、図４（ｂ）に示すように、「ボタンを押下後５秒以内にドアの施錠音を録音してください。」というメッセージ９５を表示部８１に表示させる。さらに、制御部１０は、決定要求を受け付けるアイコン９４を表示部８１に表示させる。
【００７４】
制御部１０は、ユーザがアイコン９４をタッチすると、収音部７０を起動し、ドアの施錠音の入力を受け付ける。制御部１０は、ユーザがドアを施錠し、収音部７０でドアの施錠音を収音すると、収音部７０を停止する。
【００７５】
そして、制御部１０は、識別子を生成し、収音した開閉音と、施錠音とを関連付けて音情報２１に格納する。
【００７６】
図５は、収音情報の一例を示す図である。
図５を参照して、収音情報２２について説明する。また、図５に示す収音情報３０１〜３０４は、それぞれ、収音情報２２に格納されている情報を示す。
【００７７】
図５（ａ）に示すように、収音情報２２には、例えば、開閉音と、施錠音とが関連付けて格納される。
【００７８】
開閉音には、施錠状態を管理する処理において、収音部７０で収音されたドアの開閉音が格納される。開閉音は、例えば、音ファイル形式、または開閉音の特徴情報で格納されても良い。
【００７９】
施錠音には、施錠状態を管理する処理において、収音部７０で収音されたドアの施錠音が格納される。施錠音は、例えば、音ファイル形式、または施錠音の特徴情報で格納されても良い。
【００８０】
図３（ａ）と図５（ａ）〜（ｃ）とを参照して、音情報２０１と収音情報２２とを用いた施錠状態の判定処理について説明する。
【００８１】
収音情報２２には、施錠状態を管理する処理の開始時において、図５（ａ）に示すように、開閉音と施錠音とに音ファイルや特徴情報が格納されていない。そして、図５（ｂ）に示すように、収音情報２２には、収音部７０で開閉音Ａが収音されたとき、処理部１４により開閉音Ａが格納される。また、図５（ｃ）に示すように、収音情報２２には、収音部７０で開閉音Ａに続いて施錠音Ｄが収音されたとき、処理部１４により開閉音Ｄが格納される。
【００８２】
すると、判定部１３は、図３（ａ）に示すように、音情報２０１の識別子０に関連付けられている開閉音Ａのあとに、施錠音Ｄが収音されたので、所定の建物のドアの鍵が施錠されたと判定する。判定部１３は、他の建物のドアについても、同様の処理を用いて鍵が施錠されたと判定する。
【００８３】
また、判定部１３は、開閉音Ａのあとに、第２閾値閾値以上の時間が経過しても、開閉音Ｄが収音されないとき、自宅のドアの鍵が開錠されていると判定する。判定部１３は、他の建物のドアについても、同様の処理を用いて鍵が開錠されていると判定する。
【００８４】
図３（ｂ）と図５（ａ）〜（ｃ）とを参照して、音情報２０２と収音情報２２とを用いた施錠状態の判定処理について説明する。
【００８５】
収音情報２２には、施錠状態を管理する処理の開始時において、図５（ａ）に示すように、開閉音と施錠音とに音ファイルや特徴情報が格納されていない。そして、図５（ｂ）に示すように、収音情報２２には、収音部７０で開閉音Ａが収音されたとき、処理部１４により開閉音Ａが格納される。また、図５（ｃ）に示すように、収音情報２２には、収音部７０で開閉音Ａに続いて施錠音Ｄが収音されたとき、処理部１４により開閉音Ｄが格納される。
【００８６】
すると、判定部１３は、図３（ｂ）に示すように、音情報２０２の識別子０に関連付けられている開閉音Ａのあとに、施錠音Ｄが収音されたので、自宅のドアの鍵が施錠されたと判定する。判定部１３は、他の建物のドアについても、同様の処理を用いて鍵が施錠されたと判定する。
【００８７】
また、判定部１３は、開閉音Ａのあとに、第２閾値以上の時間が経過しても、開閉音Ｄが収音されないとき、自宅のドアの鍵が開錠されていると判定する。判定部１３は、他の建物のドアについても、同様の処理を用いて鍵が開錠されていると判定する。
【００８８】
図３（ｃ）と図５（ａ）、（ｄ）とを参照して、音情報２０３と収音情報２２とを用いた施錠状態の判定処理について説明する。
【００８９】
収音情報２２には、施錠状態を管理する処理の開始時において、図５（ａ）に示すように、開閉音と施錠音とに音ファイルや特徴情報が格納されていない。そして、図５（ｄ）に示すように、収音情報２２には、収音部７０において、開閉音ａのあとに、施錠音ｌが収音されたとき、処理部１４により、開閉音ａに続いて施錠音ｌが格納される。
【００９０】
すると、判定部１３は、図３（ｃ）に示すように、音情報２０３の識別子０に関連付けられている開閉音ａのあとに、施錠音ｌが収音されたので、自宅のドアの鍵が施錠されたと判定する。判定部１３は、他の建物のドアについても、同様の処理を用いて鍵が施錠されたと判定する。
【００９１】
また、判定部１３は、識別子０に関連付けられている開閉音のあとに、第２閾値閾値以上の時間が経過しても、施錠音が収音されないとき、自宅のドアの鍵が開錠されていると判定する。判定部１３は、他の建物のドアについても、同様の処理を用いて鍵が開錠されていると判定する。
【００９２】
図６は、状態情報に格納される情報の一例を示す図である。
図６を参照して、状態情報２３について説明する。また、図６に示す状態情報４００は、それぞれ、状態情報２３に格納されている情報を示す。
【００９３】
図６に示すように、状態情報４００には、例えば、歩行時間と、歩行状態と、位置状態と、収音状態と、鍵状態とが関連付けて格納される。
【００９４】
歩行時間は、直前の第１時間の間に、電子機器１を携帯しているユーザが短時間歩行を行なったのか、長時間歩行を行なったのかを示す情報が格納される。歩行時間には、ユーザが短時間歩行を行なったとき、短時間：０が格納される。また、歩行時間には、ユーザが長時間歩行を行なったとき、長時間：１が格納される。以下の説明では、歩行時間に格納される、短時間：０や長時間：１などの情報のことを、時間情報とも言う。
【００９５】
歩行状態は、電子機器１を携帯しているユーザが停止中であるであるか、ユーザが歩行中であるかを示す情報である。歩行状態には、ユーザが停止中であるとき、停止中：０が格納される。また、歩行状態には、ユーザが歩行中であるとき、歩行中：１が格納される。以下の説明では、歩行状態に格納される、停止中：０や歩行中：１などの情報のことを、歩行情報とも言う。
【００９６】
位置状態は、電子機器１が建物の近傍にあるのか、建物の近傍以外にあるのかを示す情報である。すなわち、位置状態は、ユーザが電子機器１を携帯しているとき、ユーザが建物の近傍にいるのか、建物の近傍外にいるのかを示す情報である。位置状態には、電子機器１が建物の近傍にあるとき、建物内：０が格納される。また、位置状態には、電子機器１が建物の近傍外にあるとき、建物外：１が格納される。以下の説明では、位置状態に格納される、建物内：０や建物外：１などの情報のことを、位置情報とも言う。
【００９７】
収音状態は、収音部７０が停止中であるのか、起動中であるのかを示す情報である。収音状態には、収音部７０が停止中であるとき、停止中：０が格納される。また、収音状態には、収音部７０が起動中であるとき、起動中：１が格納される。以下の説明では、位置状態に格納される、停止中：０や起動中：１などの情報のことを、収音情報とも言う。
【００９８】
鍵状態は、所定の建物の鍵が施錠中であるのか、開錠中であるのかを示す情報である。鍵状態には、所定の建物の鍵が施錠中であるとき、施錠中：０が格納される。鍵状態には、所定の建物の鍵が開錠中であるとき、開錠中：１が格納される。状態情報２３には、図３（ｂ）、（ｃ）に示すように、音情報２１に複数のドアの開閉音と、施錠音とが格納されているとき、各ドアに対応した鍵情報を格納しても良い。以下の説明では、鍵状態に格納される、施錠中中：０や開錠中：１などの情報のことを、鍵情報とも言う。
【００９９】
図７は、状態情報の一例を示す図である。図８〜図１０は、施錠状態管理処理を示すフローチャートである。
【０１００】
図７〜図１０を参照して、制御部１０により実行される施錠状態を管理する処理について説明する。以下の説明では、説明の簡単化のため、音情報２１に図３（ａ）に示す音情報２０１が格納されているものとし、施錠状態を管理する建物が自宅であるときについて説明する。なお、図３（ｂ）、および図３（ｃ）の音情報２０２、および音情報２０３ように、施錠状態を管理する建物が複数格納されているときは、判定部１３による鍵状態の判定処理が、図３（ｂ）と図５（ａ）〜（ｃ）、および図３（ｃ）と図５（ａ）、（ｄ）を用いて前述した処理になる。
【０１０１】
また、状態情報２３の初期状態は、図７（ａ）の状態情報４０１に示すように、各フィールドの情報が未格納であるものとする。状態情報２３は、例えば、ユーザから施錠状態を管理する処理の停止の要求を入力されたとき、制御部１０が状態情報２３をリセットし、状態情報４０１に示すように、各フィールドの情報が未格納とされても良い。なお、状態情報２３の初期状態において、各フィールドが未格納でないとき、制御部１０は、後述するＳ５０８〜Ｓ５１２の処理を、Ｓ９０５〜Ｓ９０９において鍵状態が更新されたあとに実効する制御をする。
【０１０２】
図８を参照して説明する。
制御部１０は、ユーザから施錠状態を管理する処理の開始要求が入力されると、計測部５０を起動させる（Ｓ５０１）。
【０１０３】
さらに、制御部１０は、ユーザから施錠状態を管理する処理の開始要求が入力されると、測位部６０を起動させ、電子機器１の位置を測位させても良い。また、制御部１０は、測位部６０が電子機器１の位置を測位すると、測位部６０を停止させる。そして、制御部１０は、測位部６０で測位された位置から求められた位置情報を状態情報２３の位置状態に格納する。すなわち、制御部１０は、電子機器１を携帯しているユーザが、長時間歩行をする前に、ユーザの初期位置を取得する。これにより、制御部１０は、後述する図１３のＳ８０３の処理において、ユーザが建物内にいるか否かを判定することができる。
【０１０４】
なお、制御部１０は、ユーザから施錠状態を管理する処理の開始要求が入力される前に、電子機器１の位置が記憶部２０に記憶されているとき、記憶されている位置を、位置情報として状態情報２３の位置状態に位置情報として格納しても良い。電子機器１の位置が記憶部２０に格納されているときとは、例えば、ユーザの要求により、または周期的に電子機器１の位置を測位しているときなどがある。これにより、制御部１０は、後述する図１３のＳ８０３の処理において、ユーザが建物内にいるか否かを判定することができる。
【０１０５】
そして、制御部１０は、歩行時間と歩行状態とを取得する処理を開始する（Ｓ５０２）。以下の説明では、歩行時間と歩行状態とを取得する処理のことを、歩行時間および歩行状態の取得処理、または単に取得処理とも言う。なお、歩行時間および歩行状態の取得処理は、図１１を参照して後述する。
【０１０６】
また、制御部１０は、位置状態を測位する処理を開始する（Ｓ５０３）。以下の説明では、位置状態を測位する処理のことを、位置状態の測位処理、または単に測位処理とも言う。なお、位置状態の測位処理は、図１２を参照して後述する。
【０１０７】
さらに、制御部１０は、収音状態を切替える処理を開始する（Ｓ５０４）。以下の説明では、収音状態を切替える処理のことを、収音状態の切替処理、または単に切替処理とも言う。なお、収音状態の切替処理は、図１３、図１４を参照して後述する。
【０１０８】
そして、制御部１０は、鍵状態を判定する処理を開始する（Ｓ５０５）。以下の説明では、鍵状態を判定する処理のことを、鍵状態の判定処理、または単に判定処理とも言う。
【０１０９】
これにより、取得処理と、測位処理と、切替処理と、判定処理とが並列して実行される。
【０１１０】
制御部１０は、ユーザから停止要求が入力されたか否かを判定する（Ｓ５０６）。
制御部１０は、ユーザから停止要求が入力されていないとき（Ｓ５０６にてＮｏ）、Ｓ５０７の処理を実行する。
【０１１１】
図９を参照して説明する。
制御部１０は、状態情報２３の鍵状態が更新されたか否かを判定する（Ｓ５０７）。状態情報２３の鍵状態が更新されたときには、例えば、Ｓ９０５、Ｓ９０７、Ｓ９０９において鍵状態が更新されたときと、状態情報２３の鍵状態に始めて鍵情報が格納されたときが含まれる。
【０１１２】
そして、制御部１０は、状態情報２３の鍵状態が更新されていないとき（Ｓ５０７にてＮｏ）、図８に示すＳ５０６の処理を実行する。
【０１１３】
制御部１０は、状態情報２３の鍵状態が更新されたとき（Ｓ５０７にてＹｅｓ）、鍵状態が施錠中：０であるか否かを判定する（Ｓ５０８）。制御部１０は、鍵状態が施錠中：０であるとき（Ｓ５０８にてＹｅｓ）、図２に示すように、施錠中であることを示す鍵マーク９１を表示部８１に表示させる（Ｓ５０９）。そして、制御部１０は、図８に示すＳ５０６の処理を実行する。このとき、状態情報２３には、例えば、図７（ｂ）の状態情報４０２が格納されている。
【０１１４】
制御部１０は、鍵状態が開錠中であるとき（Ｓ５０８にてＮｏ）、位置状態が建物内：０であるか否かを判定する（Ｓ５１０）。そして、制御部１０は、位置状態が建物内：０であるとき（Ｓ５１０にてＹｅｓ）、表示部８１に鍵が開錠中であることを示すマーク（図示なし）を表示部８１に表示させる。鍵が開錠中であることは、例えば、施錠中であることを示す図２の鍵マーク９１の非表示により表しても良い。そして、制御部１０は、図８に示すＳ５０６の処理を実行する。このとき、状態情報２３には、例えば、図７（ｃ）の状態情報４０３が格納されている。
【０１１５】
また、制御部１０は、位置状態が建物外：１であるとき（Ｓ５１０にてＮｏ）、警報部８２に鍵が開錠中であることを警報させる（Ｓ５１２）。そして、制御部１０は、図８に示すＳ５０６の処理を実行する。このとき、状態情報２３には、例えば、図７（ｄ）の状態情報４０４が格納されている。
【０１１６】
図８を参照して説明する。
制御部１０は、ユーザから停止要求が入力されたとき（Ｓ５０６にてＹｅｓ）、Ｓ５１３の処理を実行する。なお、制御部１０は、Ｓ５０６に限らず、施錠状態を管理する処理の実行中に、ユーザから停止要求が入力されると、Ｓ５１３の処理を実行しても良い。
【０１１７】
図１０を参照して説明する。
制御部１０は、計測部５０を停止する（Ｓ５１３）。さらに、制御部１０は、歩行時間と歩行状態とを取得する処理を停止する（Ｓ５１４）。また、制御部１０は、位置状態を測位する処理を停止する（Ｓ５１５）。そして、制御部１０は、収音状態を切替える処理を停止する（Ｓ５１６）。また、制御部１０は、鍵状態を判定する処理を停止する（Ｓ５１７）。以上により、制御部１０は、施錠状態を管理する処理を終了する。
【０１１８】
図１１は、歩行時間および歩行状態の取得処理を示すフローチャートである。
図８および図１１を参照して、制御部１０により実行される歩行時間および歩行状態の取得処理について説明する。
【０１１９】
図１１を参照して説明する。
以下の説明では、説明の簡単化のため、音情報２１に図３（ａ）に示す音情報２０１が格納されているものとし、施錠状態を管理する建物が自宅であるときについて説明する。
【０１２０】
制御部１０は、図８のＳ５０２において、歩行時間および歩行状態の取得処理が開始されると、ユーザから停止要求が入力されたか否かを判定する（Ｓ６０１）。そして、制御部１０は、ユーザから停止要求が入力されたとき（Ｓ６０１にてＹｅｓ）、歩行時間および歩行状態の取得処理を終了する。なお、制御部１０は、Ｓ６０１に限らず、歩行時間および歩行状態の取得処理の実行中に、ユーザから停止要求が入力されると、歩行時間および歩行状態の取得処理を終了しても良い。
【０１２１】
制御部１０は、ユーザから停止要求が入力されていないとき（Ｓ６０１にてＮｏ）、電子機器１を携帯しているユーザの歩いた歩数をカウントする（Ｓ６０２）。
【０１２２】
そして、制御部１０は、第１時間（所定時間）が経過したか否かを判定する（Ｓ６０３）。制御部１０は、歩数のカウント開始から第１時間が経過していないとき（Ｓ６０３にてＮｏ）、カウントした歩数を取得し、カウントした歩数が第１閾値未満か否かを判定する（Ｓ６０４）。なお、カウントした歩数とは、電子機器１を携帯しているユーザが歩いた歩数である。また、制御部１０は、第１時間以内にユーザが自宅から外出する可能性が低いとき、第１時間が経過するまで、Ｓ６０３の処理を繰り返す処理をしても良い。第１時間以内にユーザが自宅から外出する可能性が低いときとは、例えば、電子機器１の移動がないときに、ユーザが施錠状態を管理する処理の開始要求を入力したときなどがある。
【０１２３】
そして、制御部１０は、カウントした歩数が第１閾値未満であるとき（Ｓ６０４にてＹｅｓ）、後述するＳ６０６の処理を実行する。また、制御部１０は、カウントした歩数が第１閾値以上であるとき（Ｓ６０４にてＮｏ）、後述するＳ６０７の処理を実行する。
【０１２４】
また、制御部１０は、歩数のカウント開始から第１時間が経過したとき（Ｓ６０３にてＹｅｓ）、直前の第１時間の間にユーザが歩いた歩数を取得する。そして、制御部１０は、取得処理において、第１時間内に取得された歩数が第１閾値未満であるか否かを判定する（Ｓ６０５）。
【０１２５】
制御部１０は、取得した歩数が第１閾値未満であるとき（Ｓ６０５にてＹｅｓ）、状態情報２３の歩行時間に短時間：０を格納する（Ｓ６０６）。そして、制御部１０は、Ｓ６０８の処理を実行する。また、制御部１０は、取得した歩数が第１閾値以上であるとき（Ｓ６０５にてＮｏ）、状態情報２３の歩行時間に短時間：１を格納する（Ｓ６０７）。そして、制御部１０は、Ｓ６０８の処理を実行する。
【０１２６】
制御部１０は、計測部５０で計測された加速度を取得し、電子機器１を携帯したユーザの歩行が停止中か否かを判定する（Ｓ６０８）。このとき、制御部１０は、加速度を計測する計測部５０により、計測された加速度を用いて電子機器１を携帯したユーザの歩行が停止したことを検知する。
【０１２７】
制御部１０は、電子機器１を携帯したユーザの歩行が停止中であると判定したとき（Ｓ６０８にてＹｅｓ）、状態情報２３の歩行状態に停止中：０を格納する（Ｓ６０９）。そして、制御部１０は、Ｓ６０１の処理を実行する。
【０１２８】
また、制御部１０は、電子機器１を携帯したユーザの歩行が歩行中であるとき（Ｓ６０８にてＮｏ）、状態情報２３の歩行状態に歩行中：１を格納する（Ｓ６１０）。そして、制御部１０は、Ｓ６０１の処理を実行する。
【０１２９】
図１２は、位置状態の測位処理を示すフローチャートである。
図１２を参照して、位置状態の測位処理について説明する。
【０１３０】
以下の説明では、説明の簡単化のため、音情報２１に図３（ａ）に示す音情報２０１が格納されているものとし、施錠状態を管理する建物が自宅であるときについて説明する。
【０１３１】
制御部１０は、図８のＳ５０３において、位置状態の測位処理が開始されると、ユーザから停止要求が入力されたか否かを判定する（Ｓ７０１）。そして、制御部１０は、ユーザから停止要求が入力されたとき（Ｓ７０１にてＹｅｓ）、位置状態の測位処理を終了する。なお、制御部１０は、Ｓ７０１に限らず、位置状態の測位処理の実行中に、ユーザから停止要求が入力されると、位置状態の測位処理を終了しても良い。
【０１３２】
制御部１０は、ユーザから停止要求が入力されていないとき（Ｓ７０１にてＮｏ）、状態情報２３を参照し、状態情報２３の歩行時間に時間情報が格納されているか否かを判定する（Ｓ７０２）。そして、制御部１０は、状態情報２３の歩行時間に時間情報が格納されていないとき（Ｓ７０２にてＮｏ）、図１２に示すＳ７０１の処理を実行する。
【０１３３】
制御部１０は、状態情報２３の歩行時間に時間情報が格納されているとき（Ｓ７０２にてＹｅｓ）、歩行時間が長時間：１であるか否かを判定する（Ｓ７０３）。すなわち、制御部１０は、図１１に示す歩行時間の取得処理において、第１時間内に取得した歩数が第１閾値以上であるか否かを判定する。
【０１３４】
制御部１０は、歩行時間が短時間：０であるとき（Ｓ７０３にてＮｏ）、Ｓ７０１の処理を実行する。
【０１３５】
制御部１０は、歩行時間が長時間：１であるとき（Ｓ７０３にてＹｅｓ）、測位部６０を起動させ、測位部６０に電子機器１の位置を測位させる（Ｓ７０４）。
【０１３６】
そして、制御部１０は、測位部６０に電子機器１の位置を測位させると、測位部６０を停止させる（Ｓ７０５）。
【０１３７】
制御部１０は、Ｓ７０４において、測位部６０に測位させた電子機器１の位置が自宅の近傍であるか否かを判定する（Ｓ７０６）。
【０１３８】
制御部１０は、測位部６０に測位させた電子機器１の位置が自宅の近傍に位置するとき（Ｓ７０６にてＹｅｓ）、状態情報２３の位置状態に建物内：０を格納する（Ｓ７０７）。そして、制御部１０は、Ｓ７０１の処理を実行する。
【０１３９】
制御部１０は、測位部６０に測位させた電子機器１の位置が自宅の近傍以外であるとき（Ｓ７０６にてＮｏ）、状態情報２３の位置状態に建物外：１を格納する（Ｓ７０８）。そして、制御部１０は、Ｓ７０１の処理を実行する。
【０１４０】
図１３、図１４は、収音状態の切替処理を示すフローチャートである。
図１３、図１４を参照して、制御部１０により実行される収音状態の切替処理について説明する。以下の説明では、説明の簡単化のため、音情報２１に図３（ａ）に示す音情報２０１が格納されているものとし、施錠状態を管理する建物が自宅であるときについて説明する。
【０１４１】
図１３を参照して説明する。
制御部１０は、図８のＳ５０４において、収音状態の切替処理が開始されると、ユーザから停止要求が入力されたか否かを判定する（Ｓ８０１）。そして、制御部１０は、ユーザから停止要求が入力されたとき（Ｓ８０１にてＹｅｓ）、収音状態の切替処理を終了する。なお、制御部１０は、Ｓ８０１に限らず、収音状態の切替処理の実行中に、ユーザから停止要求が入力されると、収音状態の切替処理を終了しても良い。
【０１４２】
制御部１０は、ユーザから停止要求が入力されていないとき（Ｓ８０１にてＮｏ）、状態情報２３の歩行時間に短時間：０が格納されているか否かを判定する。制御部１０は、状態情報２３の歩行時間に短時間：０が格納されていないとき（Ｓ８０２にてＮｏ）、Ｓ８０１の処理を実行する。状態情報２３の歩行時間に短時間：０が格納されていないときとは、例えば、歩行時間に長時間：１が格納されているとき、および歩行時間に時間情報が格納されていないときがある。
【０１４３】
制御部１０は、状態情報２３の歩行時間に短時間：０が格納されているとき（Ｓ８０２にてＹｅｓ）、状態情報２３の位置状態に建物内：０が格納されているか否かを判定する（Ｓ８０３）。制御部１０は、状態情報２３の位置状態に建物内：０が格納されていないとき（Ｓ８０３にてＮｏ）、Ｓ８０１の処理を実行する。状態情報２３の位置状態に建物内：０が格納されていないときとは、例えば、位置状態に建物外：１が格納されているとき、および位置状態に位置情報が格納されていないときがある。
【０１４４】
制御部１０は、状態情報２３の位置状態に建物内：０が格納されているとき（Ｓ８０３にてＹｅｓ）、状態情報２３の歩行状態に停止中：０が格納されているか否かを判定する（Ｓ８０４）。制御部１０は、状態情報２３の歩行状態に停止中：０が格納されていないとき（Ｓ８０４にてＮｏ）、第２時間が経過したか否かを判定する（Ｓ８０５）。第２時間とは、例えば、ユーザが継続して移動しているので、ドアの開閉が実行されないと想定される時間である。そして、第２時間は、予め設定されている時間でも良いし、ユーザにより適宜設定される時間ででも良い。また、第２時間は、制御部１０により、ユーザの過去の行動パターンに基づいて、ユーザが継続して移動しているのでドアの開閉が実行されないと想定される時間が、設定されても良い。
【０１４５】
制御部１０は、第２時間が経過していないとき（Ｓ８０５にてＮｏ）、Ｓ８０４の処理を実行する。制御部１０は、第２時間が経過したとき（Ｓ８０５にてＹｅｓ）、Ｓ８０１の処理を実行する。
【０１４６】
Ｓ８０４において、制御部１０は、状態情報２３の歩行状態に停止中：０が格納されているとき（Ｓ８０４にてＹｅｓ）、Ｓ８０６の処理を実行する。
【０１４７】
図１４を参照して説明する。
制御部１０は、収音部７０を起動させる（Ｓ８０６）。そして、制御部１０は、状態情報２３の収音状態に収音中：１を格納する（Ｓ８０７）。
【０１４８】
制御部１０は、収音部７０を起動したあと、後述するＳ９０５、Ｓ９０７、およびＳ９０９のいずれかの処理を実行し、鍵状態を更新したか否かを判定する（Ｓ８０８）。制御部１０は、例えば、Ｓ９０５、Ｓ９０７、およびＳ９０９のいずれかの処理において鍵状態を更新したとき、記憶部２０に鍵状態を更新したことを示す更新情報を記憶させてもよい。これにより、制御部１０は、Ｓ８０８において、鍵状態を更新したことを示す更新情報を参照することにより、鍵状態を更新したことを判定しても良い。
【０１４９】
制御部１０は、鍵状態が更新されていないとき（Ｓ８０８にてＮｏ）、図１３のＳ８０１の処理を実行する。
【０１５０】
制御部１０は、鍵状態を更新したと判定したとき（Ｓ８０８にてＹｅｓ）、収音部７０を停止させる（Ｓ８０９）。制御部１０は、例えば、鍵状態を更新したと判定したとき、Ｓ８０９に続いて、記憶部２０に鍵情報が更新されていないことを示す更新情報を記憶させる処理を実行しても良い。これにより、制御部１０は、Ｓ８０８において、鍵状態が更新されていないことを示す更新情報を参照することにより、収音部７０を停止したあと、鍵状態が更新新されていないことを判定しても良い。
【０１５１】
そして、制御部１０は、状態情報２３の収音状態に停止中：０を格納する（Ｓ８１０）。
【０１５２】
制御部１０は、状態情報２３の歩行状態に歩行中：１が格納されているか否かを判定する（Ｓ８１１）。制御部１０は、状態情報２３の歩行状態に歩行中：１が格納されていないとき（Ｓ８１１にてＮｏ）、Ｓ８１１の処理を繰り返し実行する。
【０１５３】
また、制御部１０は、状態情報２３の歩行状態に歩行中：１が格納されているとき（Ｓ８１１にてＹｅｓ）、Ｓ８０１の処理を実行する。すなわち、制御部１０は、電子機器１を携帯しているユーザが移動すると、ユーザが再びドアの開閉、およびドアの施錠を実行し、鍵状態が更新される可能性があるので、次の収音状態の切替処理を開始する。
【０１５４】
図１５は、鍵状態の判定処理を示すフローチャートである。
図１５を参照して、制御部１０により実行される鍵状態の判定処理について説明する。
【０１５５】
以下の説明では、説明の簡単化のため、音情報２１に図３（ａ）に示す音情報２０１が格納されているものとし、施錠状態を管理する建物が自宅であるときについて説明する。
【０１５６】
制御部１０は、図８のＳ５０５において、鍵状態の判定処理が開始されると、ユーザから停止要求が入力されたか否かを判定する（Ｓ９０１）。そして、制御部１０は、ユーザから停止要求が入力されたとき（Ｓ９０１にてＹｅｓ）、鍵状態の判定処理を終了する。なお、制御部１０は、Ｓ９０１に限らず、鍵状態の判定処理の実行中に、ユーザから停止要求が入力されると、鍵状態の判定処理を終了しても良い。
【０１５７】
制御部１０は、ユーザから停止要求が入力されていないとき（Ｓ９０１にてＮｏ）、状態情報２３の収音状態に起動中：１が格納されているか否かを判定する（Ｓ９０２）。制御部１０は、状態情報２３の収音状態に起動中：１が格納されていないとき（Ｓ９０２にてＮｏ）、Ｓ９０１の処理を実行する。状態情報２３の収音状態に起動中：１が格納されていないときとは、例えば、収音状態に停止中：０が格納されているとき、および収音状態に収音情報が格納されていないときがある。
【０１５８】
制御部１０は、状態情報２３の収音状態に起動中：１が格納されているとき（Ｓ９０２にてＹｅｓ）、収音部７０により、自宅のドアの開閉音が収音されたか否かを判定する（Ｓ９０３）。制御部１０は、収音部７０により、ドアの開閉音が収音されていないとき（Ｓ９０３にてＮｏ）、第３時間が経過したか否かを判定する（Ｓ９０４）。第３時間とは、例えば、ユーザの歩行が停止し、収音部７０が起動されてから、収音部７０によりドアの開閉音が収音されずに第３時間が経過したとき、第３時間以降の期間においても、ユーザがドアの開閉を実行しないと想定される時間である。そして、第３時間は、予め設定されている時間でも良いし、ユーザにより適宜設定される時間でも良い。また、第３時間は、制御部１０により、ユーザの過去の行動パターンに基づいて、第３時間以降の期間においてもユーザがドアの開閉を実行しないと想定される時間が、設定されても良い。
【０１５９】
制御部１０は、第３時間が経過していないとき（Ｓ９０４にてＮｏ）、Ｓ９０３の処理を実行する。
【０１６０】
制御部１０は、第３時間が経過したとき（Ｓ９０４にてＹｅｓ）、鍵状態に格納された鍵情報を維持する（Ｓ９０５）。そして、制御部１０は、Ｓ９０１の処理を実行する。制御部１０は、Ｓ９０５において、鍵状態に格納された鍵情報を維持したときにも、鍵状態を更新したものとして処理をする。このとき、制御部１０は、鍵状態を更新したものとして、鍵状態を更新したことを示す更新情報を記憶部２０に記憶しても良い。そして、制御部１０は、図１４のＳ８０８において、記憶部２０に格納した鍵状態を更新したことを示す更新情報を参照することにより、鍵情報を更新したことを判定しても良い。
【０１６１】
Ｓ９０３において、制御部１０は、収音部７０により、ドアの開閉音が収音されたと判定したとき（Ｓ９０３にてＹｅｓ）、収音部７０により、鍵の施錠音が収音されたか否かを判定する（Ｓ９０６）。
【０１６２】
制御部１０は、収音部７０により、鍵の施錠音が収音されたと判定したとき（Ｓ９０６にＹｅｓ）、鍵状態に施錠中：０を格納する（Ｓ９０７）。このとき、制御部１０は、鍵状態を更新したことを示す更新情報を記憶部２０に記憶しても良い。そして、制御部１０は、図１４のＳ８０８において、記憶部２０に格納した鍵状態を更新したことを示す更新情報を参照することにより、鍵情報を更新したことを判定しても良い。
【０１６３】
このように、制御部１０は、音情報２１に格納された開閉音のあとに、音情報２１に格納された施錠音が収音されたとき、ドアが施錠されたと判定し、鍵状態に施錠中：０を格納する。そして、制御部１０は、Ｓ９０１の処理を実行する。
【０１６４】
Ｓ９０６において、制御部１０は、収音部７０により、鍵の施錠音が収音されていないと判定したとき（Ｓ９０６にてＮｏ）、収音部７０により、ドアの開閉音が収音されてから第４時間（第２閾値）が経過したか否かを判定する（Ｓ９０８）。制御部１０は、収音部７０により、ドアの開閉音が収音されてから第４時間が経過していないとき（Ｓ９０８にてＮｏ）、Ｓ９０６の処理を実行する。第４時間とは、例えば、収音部７０により、ドアの開閉音が収音されてから、ドアの施錠音が収音されずに第４時間が経過したとき、第４時間以降の期間においても、ユーザが鍵の施錠を実行しないと想定される時間である。そして、第４時間は、予め設定されている、またはユーザにより適宜設定される時間である。また、第４時間は、制御部１０により、ユーザの過去の行動パターンに基づいて、第４時間以降の期間においても、ユーザが鍵の施錠を実行しないと想定される時間が、設定されても良い。
【０１６５】
制御部１０は、第４時間が経過したとき（Ｓ９０８にてＹｅｓ）、鍵状態に開錠中：１を格納する（Ｓ９０９）。このとき、制御部１０は、鍵状態を更新したことを示す更新情報を記憶部２０に記憶しても良い。そして、制御部１０は、図１４のＳ８０８において、記憶部２０に格納した鍵状態を更新したことを示す更新情報を参照することにより、鍵情報を更新したことを判定しても良い。
そして、制御部１０は、Ｓ９０１の処理を実行する。
【０１６６】
図１６は、コンピュータ装置の一実施例を示すブロック図である。
図１６を参照して、コンピュータ装置１００（電子機器１）の構成について説明する。
【０１６７】
図１６において、コンピュータ装置１００は、アプリＣＰＵ１０１と、サブプロセッサ１０２と、音声ＤＳＰ１０３と、ＩＳＰ１０４と、通信ＣＰＵ１０５と、ＮＡＮＤ１０６と、ＲＡＭ１０７とを備えている。また、コンピュータ装置１００は、入出力インターフェイス１０８と、タッチパネル１０９と、通信インターフェイス１１０と、無線ＬＡＮインターフェイス１１１と、近距離無線インターフェイス１１２と、加速度センサ１１３と、ＧＰＳ１１４と、マイク１１５とを備えている。さらに、コンピュータ装置１００は、ＬＣＤ１１６と、スピーカ１１７と、バイブ１１８と、カメラ１１９とを備えている。また、通信Ｉ／Ｆ１１０は、ネットワーク１２３と接続されている。また、コンピュータ装置１００は、読書装置１２０を備えている。そして、各構成要素は、バス１２２により接続されている。
【０１６８】
アプリＣＰＵ１０１は、コンピュータ装置１００全体の制御をする。サブプロセッサ１０２は、各種センサで計測された値を用いた演算処理をする。音声ＤＳＰ１０３は、マイク１１５で収音された音を音ファイルに変換する処理などを含む音声信号処理をする。ＩＳＰ１０４は、ＬＣＤ１１６に表示する画像の生成処理や、カメラ１１９から入力された画像の変換処理などを含む画像信号処理をする。通信ＣＰＵ１０５は、通信Ｉ／Ｆ１１０を用いたデータの送受信処理などを含む通信信号処理をする。ＣＰＵは、Ｃｅｎｔｒａｌ  Ｐｒｏｃｅｓｓｉｎｇ  Ｕｎｉｔの略である。ＤＳＰは、Ｄｉｇｉｔａｌ  Ｓｉｇｎａｌ  Ｐｏｃｅｓｓｏｒの略である。ＩＳＰは、Ｉｍａｇｅ  Ｓｉｇｎａｌ  Ｐｒｏｃｅｓｓｏｒの略である。
【０１６９】
そして、アプリＣＰＵ１０１、サブプロセッサ１０２、音声ＤＳＰ１０３、ＩＳＰ１０４、および通信ＣＰＵ１０５は、例えば、ＣＰＵ、マルチコアＣＰＵ、ＦＰＧＡおよびＰＬＤなどである。ＦＰＧＡは、Ｆｉｅｌｄ  Ｐｒｏｇｒａｍｍａｂｌｅ  Ｇａｔｅ  Ａｒｒａｙの略である。ＰＬＤは、Ｐｒｏｇｒａｍｍａｂｌｅ  Ｌｏｇｉｃ  Ｄｅｖｉｃｅの略である。以下の説明では、アプリＣＰＵ１０１、サブプロセッサ１０２、音声ＤＳＰ１０３、ＩＳＰ１０４、および通信ＣＰＵ１０５のことをプロセッサとも言う。
【０１７０】
アプリＣＰＵ１０１は、例えば、図１において、制御部１０として機能する。サブプロセッサ１０２は、例えば、図１において、取得部１１として機能する。ただし、各プロセッサに対する機能の割当は、一例であり、それぞれのプロセッサが制御部１０の各種機能を適宜分担して実現しても良い。
【０１７１】
なお、サブプロセッサ１０２は、取得部１１として機能するとき、例えば、計測部５０で計測された加速度を用いて、電子機器１を携帯しているユーザの歩数をカウントする処理を実行しても良い。さらに、サブプロセッサ１０２は、取得部１１として機能するとき、計測部５０で計測された加速度を用いて、電子機器１を携帯しているユーザの歩行状態を判定する処理を実行しても良い。そして、アプリＣＰＵ１０１は、サブプロセッサ１０２から、カウントされた歩数と、判定された歩行状態を示す歩行情報を取得しても良い。
【０１７２】
そして、記憶部２０に含まれる音情報２１と、収音情報２２と、状態情報２３と第１時間ｔ、第２時間、第３時間、および第４時間などの各種設定情報は、例えば、ＣＰＵ、ＦＰＧＡ、およびＰＬＤの図示しないキャッシュに記憶されても良い。
【０１７３】
ＮＡＮＤ１０６は、各種データを記憶する記憶装置である。ＲＡＭ１０７は、各プロセッサのワークエリアとして使用される記憶装置である。ＲＡＭは、Ｒａｎｄｏｍ  Ａｃｃｅｓｓ  Ｍｅｍｏｒｙの略である。
【０１７４】
また、コンピュータ装置１００は、記憶装置として、ＮＡＮＤ１０６やＲＡＭ１０７だけでなく、図示しないＲＯＭおよび、ＨＤなどを備えても良い。ＲＯＭは、ブートプログラムなどのプログラムを記憶しても良い。ＨＤは、ＯＳ、アプリケーションプログラム、ファームウェアなどのプログラム、および各種データを記憶しても良い。ＲＯＭは、Ｒｅａｄ  Ｏｎｌｙ  Ｍｅｍｏｒｙの略である。ＨＤは、Ｈａｒｄ  Ｄｉｓｋの略である。
【０１７５】
そして、ＮＡＮＤ１０６は、例えば、図１において、記憶部２０として機能し、音情報２１と、第１時間、第２時間、第３時間、および第４時間などの各種設定情報を記憶する。を記憶する。さらに、ＮＡＮＤ１０６は、例えば、アプリＣＰＵ１０１を制御部１０として機能させる施錠状態管理プログラムを記憶する。また、ＲＡＭ１０７は、例えば、図２において、記憶部２０として機能し、収音情報２２と、状態情報２３とを記憶する。各記憶装置が記憶する情報の割当は、一例であり、それぞれの記憶装置が記憶部２０に記憶された音情報２１と、収音情報２２と、状態情報２３と、施錠状態管理プログラムとの一部、または全てを記憶しても良い。
【０１７６】
施錠状態の管理処理をするとき、コンピュータ装置１００は、記憶装置に記憶された施錠状態管理プログラムをＲＡＭ１０７に読み出す。そして、ＲＡＭに読み出された施錠状態管理プログラムをアプリＣＰＵ１０１で実行することで、コンピュータ装置１００は、取得処理と、起動処理と、判定処理と、停止処理とを含む施錠状態の管理処理を実行する。
【０１７７】
なお、施錠状態管理プログラムは、アプリＣＰＵ１０１が通信インターフェイス１１０を介してアクセス可能であれば、ネットワーク１２３上のサーバが有する記憶装置に記憶されていても良い。
【０１７８】
入出力インターフェイス１０８は、例えば、ヘッドホン、スピーカ、キーボード、およびマウスなどと接続され、接続された装置から各種情報を示す信号が入力されると、バス１２２を介して入力された信号を各プロセッサに出力する。また、入出力インターフェイス１０８は、各プロセッサから出力された各種情報を示す信号がバス１２２を介して入力されると、接続された各種装置にその信号を出力する。入出力インターフェイス１０８は、例えば、ユーザからの施錠状態管理処理の開始要求と停止要求との入力を受け付けても良い。そして、入出力インターフェイス１０８は、例えば、図１において、入出力部３０として機能する。
【０１７９】
タッチパネル１０９は、ＬＣＤ１１６などの表示装置の画面を介したタッチ入力を受け付ける。そして、タッチパネル１０９は、タッチ入力を受け付けると、入力された信号を各プロセッサに出力する。タッチパネル１０９は、例えば、ユーザからの施錠状態管理処理の開始要求と停止要求との入力を受け付けても良い。そして、タッチパネル１０９は、例えば、図１において、入出力部３０として機能する。
【０１８０】
通信インターフェイス１１０は、ネットワーク１２３を介してコンピュータ装置１００と他の装置とを通信可能に接続する。そして、通信インターフェイス１１０は、例えば、図１において、送受信部４０として機能する。
【０１８１】
無線ＬＡＮインターフェイス１１１は、無線ＬＡＮの機能を有するインターフェイスである。無線ＬＡＮインターフェイス１１１は、例えば、無線ＬＡＮ規格として、Ｗｉ−Ｆｉ（登録商標）をサポートしても良い。
【０１８２】
近距離無線インターフェイス１１２は、近距離無線通信機能を有するインターフェイスである。近距離無線インターフェイス１１２は、例えば、近距離無線通信規格として、Ｂｌｕｅｔｏｏｔｈ（登録商標）をサポートしても良い。
【０１８３】
加速度センサ１１３は、例えば、電子機器１の加速度のＸＹＺ成分を検出するセンサである。そして、加速度センサ１１３は、例えば、図１において、計測部５０として機能する。
【０１８４】
ＧＰＳ１１４は、ＧＰＳ衛星から受信する電波を用いて、コンピュータ装置１００の現在位置を測定するシステムである。そして、ＧＰＳ１１４は、例えば、図１において、測位部６０として機能する。ＧＰＳは、Ｇｌｏｂａｌ  Ｐｏｓｉｔｉｏｎｉｎｇ  Ｓｙｓｔｅｍの略である。
【０１８５】
マイク１１５は、音を収音し、音声ＤＳＰ１０３に出力する。そして、マイク１１５は、例えば、図１において、収音部７０として機能する。
【０１８６】
ＬＣＤ１１６は、各種情報を表示する表示装置である。そして、ＬＣＤ１１６は、例えば、図１において、表示部８１として機能する。表示装置は、ＬＣＤ１１６に限らず、有機ＥＬディスプレイやＰＤＰなどの各種ディスプレイでも良い。ＬＣＤは、Ｌｉｑｕｉｄ  Ｃｒｙｓｔａｌ  Ｄｉｓｐｌａｙの略である。有機ＥＬディスプレイは、Ｏｒｇａｎｉｃ  Ｅｌｅｃｔｒｏ  Ｌｕｍｉｎｅｓｃｅｎｃｅ  Ｄｉｓｐｌａｙの略である。ＰＤＰは、Ｐｌａｓｍａ  Ｄｉｓｐｌａｙ  Ｐａｎｅｌの略である。
【０１８７】
スピーカ１１７は、プロセッサからの要求に応じて、音楽、アラーム音、および音声などの各種音を出力する。そして、スピーカ１１７は、例えば、図１において、警報部８２として機能する。
【０１８８】
バイブ１１８は、例えば、軸に重心を偏らせた重りを取り付けた小型のモーターであり、プロセッサからの要求に応じて重りを回転させることにより、コンピュータ装置１００を振動させる。そして、バイブ１１８は、例えば、図１において、警報部８２として機能する。
【０１８９】
カメラ１１９は、例えば、ＣＣＤやＣＭＯＳなどの撮像素子を用いたイメージセンサにより、画像を撮影し、ＩＳＰ１０４に出力する。ＣＣＤは、ＣＣＤ  Ｉｍａｇｅ  Ｓｅｎｓｏｒの略である。ＣＭＯＳは、Ｃｏｍｐｌｅｍｅｎｔａｒｙ  ＭＯＳの略である。
【０１９０】
読書装置１２０は、プロセッサに制御され、着脱可能な記録媒体１２１のデータのリード／ライトを行なう。そして、読書装置１２０は、例えば、ＦＤＤ、ＣＤＤ、ＤＶＤＤ、ＢＤＤおよびＵＳＢなどの非一時的記録媒体である。ＦＤＤは、Ｆｌｏｐｐｙ  Ｄｉｓｋ  Ｄｒｉｖｅの略である。ＣＤＤは、Ｃｏｍｐａｃｔ  Ｄｉｓｃ  Ｄｒｉｖｅの略である。ＤＶＤＤは、Ｄｉｇｉｔａｌ  Ｖｅｒｓａｔｉｌｅ  Ｄｉｓｋ  Ｄｒｉｖｅの略である。ＢＤＤは、Ｂｌｕ−ｒａｙ（登録商標）  Ｄｉｓｋ  Ｄｒｉｖｅの略である。ＵＳＢは、Ｕｎｉｖｅｒｓａｌ  Ｓｅｒｉａｌ  Ｂｕｓの略である。
【０１９１】
記録媒体１２１は、各種データを保存する。記録媒体１２１は、例えば、施錠状態管理プログラムを記憶する。さらに、記録媒体１２１は、図１に示す、音情報２１と、収音情報２２と、状態情報２３とを記憶しても良い。また、記録媒体１２１は、第１時間、第２時間、第３時間、および第４時間などの各種設定情報を記憶しても良い。
【０１９２】
そして、記録媒体１２１は、読書装置１２０を介してバス１２２に接続され、プロセッサが読書装置１２０を制御することにより、データのリード／ライトが行なわれる。また、記録媒体１２１は、例えば、ＦＤ、ＣＤ、ＤＶＤ、ＢＤ、およびフラッシュメモリなどである。ＦＤは、Ｆｌｏｐｐｙ  Ｄｉｓｋの略である。ＣＤは、Ｃｏｍｐａｃｔ  Ｄｉｓｃの略である。ＤＶＤは、Ｄｉｇｉｔａｌ  Ｖｅｒｓａｔｉｌｅ  Ｄｉｓｋの略である。ＢＤは、Ｂｌｕ−ｒａｙ（登録商標）  Ｄｉｓｋの略である。
【０１９３】
ネットワーク１２３は、例えば、ＬＡＮ、無線通信、またはインターネットなどであり、コンピュータ装置１００と他の装置を通信接続する。
【０１９４】
以上のように、実施形態の電子機器１は、開閉音のあとに、施錠音が収音されたとき、ドアが施錠されたと判定し、ドアが施錠されていることを示す施錠情報を出力する。これにより、電子機器１は、ドアの施錠を検知するためのセンサやネットワークを用いずに、ユーザにドアを施錠したか否かを通知する。したがって、電子機器１は、外出後に、ドアを施錠したか否かをユーザに容易に確認させることができる。
【０１９５】
実施形態の電子機器１は、電子機器１を携帯しているユーザが所定の建物の近傍に位置し、ユーザが短時間歩行をしたあと、ユーザが停止したときに収音部７０を起動する。そして、電子機器１は、ドアが施錠されたと判定しとき、収音部７０を停止する。これにより、電子機器１は、ユーザによりドアの開閉とドアの施錠とが実行されることが想定されるとき、ドアの施錠を判定するために収音部７０を起動し、ドアの施錠の判定が終了すると収音部７０を停止する。したがって、電子機器１は、収音部７０で消費される電力を削減することができる。
【０１９６】
実施形態の電子機器１は、収音部７０によりドアの開閉音を収音してから第２閾値以上の時間が経過しても、ドアが施錠されたと判定しないとき、ドアが施錠されていないことを示す開錠情報を出力部８０に出力させる。そして、電子機器１は、収音部７０によりドアの開閉音を収音してから第２閾値以上の時間が経過しても、ドアが施錠されたと判定しないとき、収音部７０を停止する。これにより、電子機器１は、ユーザが外出したあとに、ドアが開錠されていることをユーザに通知することができる。また、電子機器１は、ドアが開錠されていると判定したとき、ドアの施錠の判定を終了し、収音部７０を停止するので、収音部７０で消費される電力を削減することができる。
【０１９７】
実施形態の電子機器１は、ユーザが長時間歩行をしたあと、測位部を起動し、測位部６０に位置を測位させる。そして、電子機器１は、測位部６０が位置を測位すると測位部６０を停止する。これにより、電子機器１は、ユーザが外出していると想定されるときに、測位部６０を起動し、測位部６０による測位が終了すると、測位部６０を停止する。このように、電子機器１は、施錠状態管理処理において、測位部６０を断続的に動作させるので、測位部６０で消費される電力を削減することができる。
【０１９８】
実施形態の電子機器１は、ドアが施錠されたと判定したとき、施錠情報を記憶部２０に記憶する。そして、電子機器１は、電子機器１が所定の建物の近傍以外に位置し、施錠情報が記憶部２０に記憶されているとき、施錠情報を出力する。これにより、電子機器１は、外出後に、ドアを施錠したか否かをユーザに容易に確認させることができる。
【０１９９】
実施形態の電子機器１は、収音部７０によりドアの開閉音を収音してから、第２閾値以上の時間が経過してもドアが施錠されたと判定しないとき、開錠情報を記憶部２０に記憶する。そして、電子機器１は、電子機器１が所定の建物の近傍以外に位置し、開錠情報が記憶部２０に記憶されているとき、開錠情報を出力する。これにより、電子機器１は、外出後に、ドアを施錠したか否かをユーザに容易に確認させることができる。
【０２００】
実施形態の電子機器１は、記憶部２０に開錠情報または施錠情報が記憶されたとき、収音部７０を停止する。これにより、電子機器１は、収音部７０で消費される電力を削減することができる。
【０２０１】
実施形態の電子機器１は、測位部６０で測位された位置が所定の建物の近傍以外の位置であるとき、電子機器１が所定の建物の近傍以外に位置していると判定し、出力部８０に施錠情報または開錠情報を出力させる。これにより、電子機器１は、外出後に、ドアを施錠したか否かをユーザに容易に確認させることができる。
【０２０２】
なお、本実施形態は、以上に述べた実施形態に限定されるものではなく、本実施形態の要旨を逸脱しない範囲内で種々の構成または実施形態を取ることができる。
【０２０３】
以上記載した各実施例を含む実施形態に関し、さらに以下の付記を開示する。なお、本発明は、以下の付記に限定されるものではない。
（付記１）
情報を出力する出力部と、
ドアの開閉音と鍵の施錠音とを記憶する記憶部と、
音を収音する収音部と、
前記記憶部に記憶された前記開閉音のあとに、前記記憶部に記憶された前記施錠音が収音されたとき、前記ドアが施錠されたと判定する判定部と、
前記判定部により、前記ドアが施錠されたと判定されたとき、前記ドアが施錠されていることを示す施錠情報を前記出力部に出力させる処理をする処理部と、
を備えることを特徴とする電子機器。
（付記２）
前記電子機器は、さらに、
前記電子機器を携帯しているユーザが歩いた歩数を取得する取得部と、
前記電子機器の位置を測位する測位部と、
前記電子機器が所定の建物の近傍に位置し、かつ前記取得部により、所定の時間内に取得された前記歩数が第１閾値未満であるとき、前記収音部を起動させる起動部と、
前記判定部により、前記ドアが施錠されたと判定されたとき、前記収音部を停止する停止部と、
を備えることを特徴とする付記１に記載の電子機器。
（付記３）
前記電子機器は、さらに、
加速度を計測する計測部、
を備え、
前記起動部は、
前記計測部により、計測された前記加速度を用いて歩行が停止したことを検知したとき、前記収音部を起動する
ことを特徴とする付記２に記載の電子機器。
（付記４）
前記処理部は、
前記収音部によりドアの開閉音が収音されてから第２閾値以上の時間が経過しても、前記判定部により、前記ドアが施錠されたと判定されないとき、前記ドアが施錠されていないことを示す開錠情報を前記出力部に出力させる処理をし、
前記停止部は、
前記収音部によりドアの開閉音が収音されてから第２閾値以上の時間が経過しても、前記判定部により、前記ドアが施錠されたと判定されないとき、前記収音部を停止する
ことを特徴とする付記２または３に記載の電子機器。
（付記５）
前記起動部は、
前記取得部により、前記所定の時間内に取得された歩数が前記第１閾値以上であるとき、前記測位部を起動し、
前記測位部は、
起動したとき、位置を測位する、
ことを特徴とする付記２〜４のいずれか一つに記載の電子機器。
（付記６）
前記停止部は、さらに、
前記測位部が位置を測位すると、前記測位部を停止する、
ことを特徴とする付記５に記載の電子機器。
（付記７）
前記処理部は、
前記判定部により、前記ドアが施錠されたと判定されたとき、前記施錠情報を前記記憶部に記憶し、
前記電子機器が所定の建物の近傍以外に位置し、前記施錠情報が前記記憶部に記憶されているとき、前記施錠情報を前記出力部に出力させる処理をする、
ことを特徴とする付記１〜６のいずれか一つに記載の電子機器。
（付記８）
前記処理部は、
前記収音部によりドアの開閉音が収音されてから、前記判定部により、第２閾値以上の時間が経過しても前記ドアが施錠されたと判定されないとき、開錠情報を前記記憶部に記憶し、
前記電子機器が所定の建物の近傍以外に位置し、前記開錠情報が前記記憶部に記憶されているとき、前記開錠情報を前記出力部に出力させる処理をする、
ことを特徴とする付記１〜７のいずれか一つに記載の電子機器。
（付記９）
前記停止部は、
前記記憶部に前記開錠情報または前記施錠情報が記憶されたとき、前記収音部を停止する
ことを特徴とする請求項７または８に記載の電子機器。
（付記１０）
前記電子機器は、さらに、
前記電子機器の位置を測位する測位部と、
前記電子機を携帯しているユーザが歩いた歩数を取得する取得部と、
前記取得部により、所定の時間内に取得された歩数が第１閾値以上であるとき、前記測位部を起動する起動部と、
を備え、
前記判定部は、
前記測位部で測位された位置が前記所定の建物の近傍以外の位置であるとき、前記電子機器が所定の建物の近傍以外に位置していると判定する
ことを特徴とする付記１〜１０のいずれか一つに記載の電子機器。
（付記１１）
音を収音する収音部において、記憶部に記憶されたドアの開閉音のあとに、前記記憶部に記憶された鍵の施錠音が収音されたとき、前記ドアが施錠されたと判定し、
前記判定処理において、前記ドアが施錠されたと判定されたとき、前記ドアが施錠されていることを示す施錠情報を、情報を出力する出力部に出力させる
処理をコンピュータに実行させることを特徴とする施錠状態管理プログラム。
（付記１２）
前記コンピュータに実行させる処理は、さらに、
前記電子機器を携帯しているユーザが歩いた歩数を取得し、
位置を測位する測位部に前記電子機器の位置を測位させ、
前記電子機器が所定の建物の近傍に位置し、かつ前記取得処理において、所定の時間内に取得された前記歩数が第１閾値未満であるとき、前記収音部を起動させ、
前記判定処理において、前記ドアが施錠されたと判定されたとき、前記収音部を停止する
処理を含むことを特徴とする付記１１に記載の施錠状態管理プログラム。
（付記１３）
前記コンピュータに実行させる処理は、さらに、
加速度を計測する計測部により、計測された前記加速度を用いて歩行が停止したことを検知したとき、前記収音部を起動する
ことを特徴とする付記１２に記載の施錠状態管理プログラム。
（付記１４）
前記コンピュータに実行させる処理は、さらに、
前記収音部によりドアの開閉音が収音されてから第２閾値以上の時間が経過しても、前記判定処理において、前記ドアが施錠されたと判定されないとき、前記ドアが施錠されていないことを示す開錠情報を前記出力部に出力させ、
前記収音部によりドアの開閉音が収音されてから第２閾値以上の時間が経過しても、前記判定処理において、前記ドアが施錠されたと判定されないとき、前記収音部を停止する
処理を含むことを特徴とする付記１２または１３に記載の施錠状態管理プログラム。
（付記１５）
前記コンピュータに実行させる処理は、さらに、
前記取得処理において、前記所定の時間内に取得した歩数が前記第１閾値以上であるとき、位置を測位する測位部を起動させ、
前記測位部に前記電子機器の位置を測位させる
処理を含むことを特徴とする付記１２〜１４に記載の施錠状態管理プログラム。
（付記１６）
前記コンピュータに実行させる処理は、さらに、
前記測位部に前記電子機器の位置を測位させると、前記測位部を停止する、
処理を含むことを特徴とする付記１５に記載の施錠状態管理プログラム。
【符号の説明】
【０２０４】
１０  制御部
２０  記憶部
３０  入出力部
４０  送受信部
５０  計測部
６０  測位部
７０  収音部
８０  出力部
１００  コンピュータ装置
１０１  アプリＣＰＵ
１０２  サブプロセッサ
１０３  音声ＤＳＰ
１０４  ＩＳＰ
１０５  通信ＣＰＵ
１０６  ＮＡＮＤ
１０７  ＲＡＭ
１０８  入出力インターフェイス
１０９  タッチパネル
１１０  通信インターフェイス
１１１  無線ＬＡＮインターフェイス
１１２  近距離無線インターフェイス
１１３  加速度センサ
１１４  ＧＰＳ
１１５  マイク
１１６  ＬＣＤ
１１７  スピーカ
１１８  バイブ
１１９  カメラ
１２０  読書装置
１２１  記録媒体
１２２  バス
１２３  ネットワーク
【図１】
0006375879.tif 000002
【図２】
0006375879.tif 000003
【図３】
0006375879.tif 000004
【図４】
0006375879.tif 000005
【図５】
0006375879.tif 000006
【図６】
0006375879.tif 000007
【図７】
0006375879.tif 000008
【図８】
0006375879.tif 000009
【図９】
0006375879.tif 000010
【図１０】
0006375879.tif 000011
【図１１】
0006375879.tif 000012
【図１２】
0006375879.tif 000013
【図１３】
0006375879.tif 000014
【図１４】
0006375879.tif 000015
【図１５】
0006375879.tif 000016
【図１６】
0006375879.tif 000017